(57)【要約】【課題】  技術分類情報を容易に理解でき、精度の良い技術文献の検索が容易にできるようにすること。【解決手段】  多数の技術文献の中から抽出された技術文献の情報を記憶する抽出技術文献情報記憶手段（Ｃ２２Ａ）と、抽出技術文献の技術分類情報の出現頻度を抽出する頻度抽出手段（Ｃ２５）と、技術分類情報に対応する技術内容を特定する技術内容特定情報を前記技術分類情報に対応させて表示する技術分類一覧表を記憶する技術分類一覧表記憶手段（Ｃ２０１）と、前記技術分類情報の出現頻度を、前記技術分類一覧表に付与した頻度情報付与一覧表を作成する頻度情報付与一覧表作成手段（Ｃ２８Ｄ）と、前記頻度情報付与一覧表（６１）を表示する情報表示画面（Ｈ２）とを備えた技術文献情報表示システム。【選択図】  図２
2006195808.tif 000002
【特許請求の範囲】
【請求項１】
下記の構成要件（Ａ01）〜（Ａ06）を備えたことを特徴とする技術文献情報表示システム、
（Ａ01）技術文献に記載された技術内容毎に付与された技術分類情報を含む多数の技術文献の情報を記憶する技術文献情報記憶手段、
（Ａ02）前記技術文献情報記憶手段に記憶された技術文献の中から抽出された技術文献の情報を記憶する抽出技術文献情報記憶手段、
（Ａ03）前記抽出技術文献情報記憶手段に記憶された抽出技術文献の技術分類情報の出現頻度を抽出する頻度抽出手段、
（Ａ04）前記技術分類情報と、前記技術分類情報に対応する技術内容を特定する技術内容特定情報と、を有し、前記技術内容特定情報を前記技術分類情報に対応させて表示する技術分類一覧表を記憶する技術分類一覧表記憶手段、
（Ａ05）前記頻度抽出手段で抽出された前記技術分類情報の出現頻度を、前記技術分類一覧表に付与した頻度情報付与一覧表を作成する頻度情報付与一覧表作成手段、
（Ａ06）前記頻度情報付与一覧表を表示する情報表示画面。
【請求項２】
下記の構成要件（Ａ07）〜（Ａ010）を備えたことを特徴とする請求項１記載の技術文献情報表示システム、
（Ａ07）前記技術文献情報記憶手段に記憶された技術文献の情報を検索条件に基づいて検索する技術文献検索手段、
（Ａ08）前記技術文献検索手段により検索された技術文献の技術内容を表示する検索結果表示手段、
（Ａ09）前記検索結果表示手段により表示された技術文献の中から抽出された技術文献が有ったか否かを判別する文献抽出判別手段、
（Ａ010）前記抽出された技術文献の情報を記憶する前記抽出技術文献情報記憶手段。
【請求項３】
下記の構成要件（Ａ011）を備えたことを特徴とする請求項１または２記載の技術文献情報表示システム、
（Ａ011）Ｆタームにより構成された前記技術分類情報。
【請求項４】
下記の構成要件（Ａ012）を備えたことを特徴とする請求項１ないし３のいずれか記載の技術文献情報表示システム、
（Ａ012）公開特許公報、公表特許公報、特許公報、実用新案登録公報、登録実用新案公報、公開実用新案公報および公表実用新案公報により構成された前記技術文献。
【請求項５】
下記の構成要件（Ｂ01）〜（Ｂ04）を備えたことを特徴とする技術文献情報表示装置、
（Ｂ01）技術文献に記載された技術内容毎に付与された技術分類情報を含む多数の技術文献の中から抽出された技術文献の情報を記憶する抽出技術文献情報記憶手段、
（Ｂ02）前記抽出技術文献情報記憶手段に記憶された抽出技術文献の技術分類情報の出現頻度を抽出する頻度抽出手段、
（Ｂ03）前記技術分類情報に対応する技術内容を特定する技術内容特定情報を前記技術分類情報に対応させて表示する技術分類一覧表に、前記頻度抽出手段で抽出された前記技術分類情報の出現頻度を付与した頻度情報付与一覧表を作成する頻度情報付与一覧表作成手段、
（Ｂ04）前記頻度情報付与一覧表を表示する情報表示画面。
【請求項６】
下記の構成要件（Ｂ05），（Ｂ06）を備えたことを特徴とする請求項５記載の技術文献情報表示装置、
（Ｂ05）前記検索結果表示手段により表示された技術文献の中から抽出された技術文献が有ったか否かを判別する文献抽出判別手段、
（Ｂ06）抽出された前記技術文献の情報を記憶する前記抽出技術文献情報記憶手段。
【請求項７】
コンピュータを、
技術文献に記載された技術内容毎に付与された技術分類情報を含む多数の技術文献の中から抽出された技術文献の情報を記憶する抽出技術文献情報記憶手段、
前記抽出技術文献情報記憶手段に記憶された抽出技術文献の技術分類情報の出現頻度を抽出する頻度抽出手段、
前記技術分類情報に対応する技術内容を特定する技術内容特定情報を前記技術分類情報に対応させて表示する技術分類一覧表に、前記頻度抽出手段で抽出された前記技術分類情報の出現頻度を付与した頻度情報付与一覧表を作成する頻度情報付与一覧表作成手段、
として機能させるための技術文献情報表示プログラム。
【請求項８】
コンピュータを、
技術文献に記載された技術内容毎に付与された技術分類情報を含む多数の技術文献の中から検索条件に基づいて検索された技術文献の技術内容を表示する検索結果表示手段、
前記検索結果表示手段により表示された技術文献の中から抽出された技術文献が有ったか否かを判別する文献抽出判別手段、
抽出された前記技術文献の情報を記憶する前記抽出技術文献情報記憶手段、
として機能させるための請求項７記載の技術文献情報表示プログラム。
【発明の詳細な説明】
【技術分野】
【０００１】
本発明は、技術内容と、技術内容毎に付与された技術分類情報とを含む技術文献の情報を表示する技術文献情報表示システム、技術文献表示装置および技術文献情報表示プログラムに関し、特に、技術分類情報の頻度を解析して表示する技術文献情報表示システム、技術文献表示装置および技術文献情報表示プログラムに関する。
【背景技術】
【０００２】
近年、特許出願や実用新案登録出願に関する特許文献等の技術文献を蓄積したデータベースは進化しており、種々のキーワードやコード等を使用して検索できるようになっている。しかし、同一のものを特定する用語が技術文献毎に異なる場合がある上に、データベースに蓄積される文献の数が累積的に増加しているため、検索のためのキーワードの種類が多くなっている。このため、キーワード検索により、自分が検索したい技術が記載された文献を的確に探したり、特定のキーワードで検索された複数の文献の中から自分が探していた技術に関連のある文献を区分けすることが非常に難しくなっている。
【０００３】
前記技術文献には、技術内容毎に取り決められた技術分類情報が付与されていることがあり、日本国の特許文献には、国際的な取り決めである「国際特許分類」や、前記国際特許分類をベースに改良された「ＦＩ」、主として特許庁の審査目的に開発された高精度の分類である「Ｆターム」が付与されている。検索された複数の文献に付与された前記技術分類情報を分析すると、自分が検索した技術の内容、すなわち、キーワード検索対象技術の中心点や傾向を把握することができ、この結果を利用してさらに精緻な検索を行うことができる。
【０００４】
前記技術文献の検索において、技術分類情報を分析に使用する技術として、下記の従来技術（Ｊ01），（Ｊ02）が公知である。
（Ｊ01）特許文献１（特開２００３−４４４９３号公報）記載の技術
特許文献１には、キーワード検索の結果で列挙された文献の中から、ユーザが選択した例示的文献の分類コード（Ｆターム、技術分類情報）の出現頻度を分析し、上位コード（テーマコード）の出現頻度順に、例示的文献とその文献に付与された分類コードとを対応させた傾向分析テーブルを作成し、表示する技術が記載されている。また、前記特許文献１には、キーワード検索の結果、列挙された文献（例示的文献ではない）の分類コードを抽出し、分類コードの内容を解説する解説書上で分類コード部分を強調表示する技術が記載されている。
【０００５】
（Ｊ02）特許文献２（特開２００３−１４１１６４号公報）記載の技術
特許文献２には、ユーザが入力した特定の特許文献に付与されている全てのＦターム（技術分類情報）を抽出し、抽出されたＦタームを使用して特許文献の検索を行い、検索された特許文献と、特定の特許文献と共通するＦタームと、共通するＦタームの数と、を表示することにより、特定の特許文献に類似する可能性の高い特許文献を自動的に検索する技術が記載されている。
【０００６】
【特許文献１】特開２００３−４４４９３号公報（「００５７」〜「００６０」、第９図〜第１１図）
【特許文献２】特開２００３−１４１１６４号公報（「００１０」、「００３０」〜「００４９」、第２図、第３図）
【発明の開示】
【発明が解決しようとする課題】
【０００７】
（従来技術の問題点）
前記従来技術（Ｊ01）では、キーワード検索により機械的に抽出されたＦタームを解説書上で強調表示するだけであり、キーワード検索によりユーザが探していた文献とは関係のない多数の文献のＦタームも抽出されてしまう。したがって、分類コード部分を強調表示した解説書を見ても、ユーザが本当に探していた文献の技術の傾向等を判断することは困難であり、解説書を参考にして再検索を行うことも困難であるという問題がある。
また、前記従来技術（Ｊ01）では、ユーザが選択した例示的文献の分類コードの出現頻度が表示された傾向分析テーブルを参照しても、分類コードが付与された技術内容が熟練者でないと理解できないという問題があり、解説書と並べて参照しても、解説書には例示的文献以外の文献の分類コードも強調表示されているので、分かりにくいという問題がある。
【０００８】
前記従来技術（Ｊ02）では、特定文献にＦタームが付与されていなければ、類似する文献を自動的に検索できないという問題がある。Ｆタームが付与されていない特定文献に対して、ユーザが特定文献の技術内容を理解した上で特定文献の複数のＦタームを判断することは相当の熟練を要し、容易に検索を行うことができないという問題がある。
【０００９】
本発明は、前述の事情に鑑み、次の記載内容（Ｏ01），（Ｏ02）を技術的課題とする。
（Ｏ01）技術分類情報を容易に理解できるようにすること。
（Ｏ02）精度の良い技術文献の検索が容易にできるようにすること。
【課題を解決するための手段】
【００１０】
（本発明）
次に、前記課題を解決した本発明を説明するが、本発明の要素には、後述の実施の形態の具体例（実施例）の要素との対応を容易にするため、実施例の要素の符号をカッコで囲んだものを付記する。また、本発明を後述の実施例の符号と対応させて説明する理由は、本発明の理解を容易にするためであり、本発明の範囲を実施例に限定するためではない。
【００１１】
（第１発明）
前記技術的課題を解決するために、第１発明の技術文献情報表示システムは、下記の構成要件（Ａ01）〜（Ａ06）を備えたことを特徴とする。
（Ａ01）技術文献に記載された技術内容毎に付与された技術分類情報を含む多数の技術文献の情報を記憶する技術文献情報記憶手段（Ｃ１０１）、
（Ａ02）前記技術文献情報記憶手段（Ｃ１０１）に記憶された技術文献の中から抽出された技術文献の情報を記憶する抽出技術文献情報記憶手段（Ｃ２２Ａ）、
（Ａ03）前記抽出技術文献情報記憶手段（Ｃ２２Ａ）に記憶された抽出技術文献の技術分類情報の出現頻度を抽出する頻度抽出手段（Ｃ２５）、
（Ａ04）前記技術分類情報と、前記技術分類情報に対応する技術内容を特定する技術内容特定情報と、を有し、前記技術内容特定情報を前記技術分類情報に対応させて表示する技術分類一覧表を記憶する技術分類一覧表記憶手段（Ｃ２０１）、
（Ａ05）前記頻度抽出手段（Ｃ２５）で抽出された前記技術分類情報の出現頻度を、前記技術分類一覧表に付与した頻度情報付与一覧表（６１）を作成する頻度情報付与一覧表作成手段（Ｃ２８Ｄ）、
（Ａ06）前記頻度情報付与一覧表（６１）を表示する情報表示画面（Ｈ２）。
【００１２】
（第１発明の作用）
前記構成要件（Ａ01）〜（Ａ06）を備えた第１発明の技術文献情報表示システムでは、技術文献情報記憶手段（Ｃ１０１）は、技術文献に記載された技術内容毎に付与された技術分類情報を含む多数の技術文献の情報を記憶する。抽出技術文献情報記憶手段（Ｃ２２Ａ）は、前記技術文献情報記憶手段（Ｃ１０１）に記憶された技術文献の中から抽出された技術文献の情報を記憶する。頻度抽出手段（Ｃ２５）は、前記抽出技術文献情報記憶手段（Ｃ２２Ａ）に記憶された抽出技術文献の技術分類情報の出現頻度を抽出する。技術分類一覧表記憶手段（Ｃ２０１）は、前記技術分類情報と、前記技術分類情報に対応する技術内容を特定する技術内容特定情報と、を有し、前記技術内容特定情報を前記技術分類情報に対応させて表示する技術分類一覧表を記憶する。
【００１３】
頻度情報付与一覧表作成手段（Ｃ２８Ｄ）は、前記頻度抽出手段（Ｃ２５）で抽出された前記技術分類情報の出現頻度を、前記技術分類一覧表に付与した頻度情報付与一覧表（６１）を作成する。情報表示画面（Ｈ２）は、前記頻度情報付与一覧表（６１）を表示する。
したがって、第１発明の技術文献情報表示システムでは、前記頻度情報付与一覧表（６１）には、技術分類情報と、技術内容特定情報と、出現頻度とが含まれているので、ユーザは、抽出された技術文献の技術分類情報の出現頻度と、技術内容とを容易に理解することができる。この結果、ユーザが探している技術内容の技術分類情報を把握することが容易にできたり、技術分類情報を利用して再検索したりすることも可能となる。したがって、精度の良い技術文献の検索を行うことができる。
【００１４】
（第１発明の形態１）
第１発明の形態１の技術文献情報表示システムは、前記第１発明において、下記の構成要件（Ａ07）〜（Ａ010）を備えたことを特徴とする。
（Ａ07）前記技術文献情報記憶手段（Ｃ１０１）に記憶された技術文献の情報を検索条件に基づいて検索する技術文献検索手段（Ｃ１０３）、
（Ａ08）前記技術文献検索手段（Ｃ１０３）により検索された技術文献の技術内容を表示する検索結果表示手段（Ｃ１８）、
（Ａ09）前記検索結果表示手段（Ｃ１８）により表示された技術文献の中から抽出された技術文献が有ったか否かを判別する文献抽出判別手段（Ｃ２２）、
（Ａ010）前記抽出された技術文献の情報を記憶する前記抽出技術文献情報記憶手段（Ｃ２２Ａ）。
【００１５】
（第１発明の形態１の作用）
前記構成要件（Ａ07）〜（Ａ010）を備えた第１発明の形態１の技術文献情報表示システムでは、技術文献検索手段（Ｃ１０３）は、前記技術文献情報記憶手段（Ｃ１０１）に記憶された技術文献の情報を検索条件に基づいて検索する。検索結果表示手段（Ｃ１８）は、前記技術文献検索手段（Ｃ１０３）により検索された技術文献の技術内容を表示する。文献抽出判別手段（Ｃ２２）は、前記検索結果表示手段（Ｃ１８）により表示された技術文献の中から抽出された技術文献が有ったか否かを判別する。前記抽出技術文献情報記憶手段（Ｃ２２Ａ）は、前記抽出された技術文献の情報を記憶する。
したがって、第１発明の形態１の技術文献情報表示システムでは、表示された技術内容を参照して、ユーザが技術文献を抽出することができる。この結果、検索の精度をより高めることができる。
【００１６】
（第１発明の形態２）
第１発明の形態２の技術文献情報表示システムは、前記第１発明または第１発明の形態１において、下記の構成要件（Ａ011）を備えたことを特徴とする。
（Ａ011）Ｆタームにより構成された前記技術分類情報。
（第１発明の形態２の作用）
前記構成要件（Ａ011）を備えた第１発明の形態２の技術文献情報表示システムでは、前記技術分類情報は、Ｆタームにより構成されている。したがって、Ｆタームによる技術内容の分類に基づいて検索を実行できる。
【００１７】
（第１発明の形態３）
第１発明の形態３の技術文献情報表示システムは、前記第１発明、第１発明の形態１，２のいずれかにおいて、下記の構成要件（Ａ012）を備えたことを特徴とする。
（Ａ012）公開特許公報、公表特許公報、特許公報、実用新案登録公報、登録実用新案公報、公開実用新案公報および公表実用新案公報により構成された前記技術文献。
（第１発明の形態３の作用）
前記構成要件（Ａ012）を備えた第１発明の形態３の技術文献情報表示システムでは、前記技術文献は、公開特許公報、公表特許公報、特許公報、実用新案登録公報、登録実用新案公報、公開実用新案公報および公表実用新案公報により構成されている。したがって、公開特許公報等の検索を精度良く容易に行うことができる。
【００１８】
（第２発明）
前記技術的課題を解決するために第２発明の技術文献情報表示装置は、下記の構成要件（Ｂ01）〜（Ｂ04）を備えたことを特徴とする。
（Ｂ01）技術文献に記載された技術内容毎に付与された技術分類情報を含む多数の技術文献の中から抽出された技術文献の情報を記憶する抽出技術文献情報記憶手段（Ｃ２２Ａ）、
（Ｂ02）前記抽出技術文献情報記憶手段（Ｃ２２Ａ）に記憶された抽出技術文献の技術分類情報の出現頻度を抽出する頻度抽出手段（Ｃ２５）、
（Ｂ03）前記技術分類情報に対応する技術内容を特定する技術内容特定情報を前記技術分類情報に対応させて表示する技術分類一覧表に、前記頻度抽出手段（Ｃ２５）で抽出された前記技術分類情報の出現頻度を付与した頻度情報付与一覧表（６１）を作成する頻度情報付与一覧表作成手段（Ｃ２８Ｄ）、
（Ｂ04）前記頻度情報付与一覧表（６１）を表示する情報表示画面（Ｈ２）。
【００１９】
（第２発明の作用）
前記構成要件（Ｂ01）〜（Ｂ04）を備えた第２発明の技術文献情報表示装置では、抽出技術文献情報記憶手段（Ｃ２２Ａ）は、技術文献に記載された技術内容毎に付与された技術分類情報を含む多数の技術文献の中から抽出された技術文献の情報を記憶する。頻度抽出手段（Ｃ２５）は、前記抽出技術文献情報記憶手段（Ｃ２２Ａ）に記憶された抽出技術文献の技術分類情報の出現頻度を抽出する。頻度情報付与一覧表作成手段（Ｃ２８Ｄ）は、前記技術分類情報に対応する技術内容を特定する技術内容特定情報を前記技術分類情報に対応させて表示する技術分類一覧表に、前記頻度抽出手段（Ｃ２５）で抽出された前記技術分類情報の出現頻度を付与した頻度情報付与一覧表（６１）を作成する。情報表示画面（Ｈ２）は、前記頻度情報付与一覧表（６１）を表示する。
【００２０】
したがって、第２発明の技術文献情報表示装置では、前記頻度情報付与一覧表（６１）には、技術分類情報と、技術内容特定情報と、出現頻度とが含まれているので、ユーザは、抽出された技術文献の技術分類情報の出現頻度と、技術内容とを容易に理解することができる。この結果、ユーザが探している技術内容の技術分類情報を把握することが容易にできたり、技術分類情報を利用して再検索したりすることも可能となる。したがって、精度の良い技術文献の検索を行うことができる。
【００２１】
（第２発明の形態１）
第２発明の形態１の技術文献情報表示装置は、前記第２発明において、下記の構成要件（Ｂ05），（Ｂ06）を備えたことを特徴とする。
（Ｂ05）前記検索結果表示手段（Ｃ１８）により表示された技術文献の中から抽出された技術文献が有ったか否かを判別する文献抽出判別手段（Ｃ２２）、
（Ｂ06）抽出された前記技術文献の情報を記憶する前記抽出技術文献情報記憶手段（Ｃ２２Ａ）。
【００２２】
（第２発明の形態１の作用）
前記構成要件（Ｂ05），（Ｂ06）を備えた第２発明の形態１の技術文献情報表示装置では、文献抽出判別手段（Ｃ２２）は、前記検索結果表示手段（Ｃ１８）により表示された技術文献の中から抽出された技術文献が有ったか否かを判別する。前記抽出技術文献情報記憶手段（Ｃ２２Ａ）は、抽出された前記技術文献の情報を記憶する。
したがって、第２発明の形態１の技術文献情報表示装置では、表示された技術内容を参照して、ユーザが技術文献を抽出することができる。この結果、検索の精度をより高めることができる。
【００２３】
（第３発明）
前記技術的課題を解決するために第３発明の技術文献情報表示プログラムは、
コンピュータを、
技術文献に記載された技術内容毎に付与された技術分類情報を含む多数の技術文献の中から抽出された技術文献の情報を記憶する抽出技術文献情報記憶手段（Ｃ２２Ａ）、
前記抽出技術文献情報記憶手段（Ｃ２２Ａ）に記憶された抽出技術文献の技術分類情報の出現頻度を抽出する頻度抽出手段（Ｃ２５）、
前記技術分類情報に対応する技術内容を特定する技術内容特定情報を前記技術分類情報に対応させて表示する技術分類一覧表に、前記頻度抽出手段（Ｃ２５）で抽出された前記技術分類情報の出現頻度を付与した頻度情報付与一覧表（６１）を作成する頻度情報付与一覧表作成手段（Ｃ２８Ｄ）、
として機能させることを特徴とする。
【００２４】
（第３発明の作用）
前記構成要件を備えた第３発明の技術文献情報表示プログラムでは、抽出技術文献情報記憶手段（Ｃ２２Ａ）は、技術文献に記載された技術内容毎に付与された技術分類情報を含む多数の技術文献の中から抽出された技術文献の情報を記憶する。
頻度抽出手段（Ｃ２５）は、前記抽出技術文献情報記憶手段（Ｃ２２Ａ）に記憶された抽出技術文献の技術分類情報の出現頻度を抽出する。頻度情報付与一覧表作成手段（Ｃ２８Ｄ）は、前記技術分類情報に対応する技術内容を特定する技術内容特定情報を前記技術分類情報に対応させて表示する技術分類一覧表に、前記頻度抽出手段（Ｃ２５）で抽出された前記技術分類情報の出現頻度を付与した頻度情報付与一覧表（６１）を作成する。
【００２５】
したがって、第３発明の技術文献情報表示プログラムでは、前記頻度情報付与一覧表（６１）には、技術分類情報と、技術内容特定情報と、出現頻度とが含まれているので、ユーザは、抽出された技術文献の技術分類情報の出現頻度と、技術内容とを容易に理解することができる。この結果、ユーザが探している技術内容の技術分類情報を把握することが容易にできたり、技術分類情報を利用して再検索したりすることも可能となる。したがって、精度の良い技術文献の検索を行うことができる。
【００２６】
（第３発明の形態１）
第３発明の形態１の技術文献情報表示プログラムは、前記第３発明において、
コンピュータを、
技術文献に記載された技術内容毎に付与された技術分類情報を含む多数の技術文献の中から検索条件に基づいて検索された技術文献の技術内容を表示する検索結果表示手段（Ｃ１８）、
前記検索結果表示手段（Ｃ１８）により表示された技術文献の中から抽出された技術文献が有ったか否かを判別する文献抽出判別手段（Ｃ２２）、
抽出された前記技術文献の情報を記憶する前記抽出技術文献情報記憶手段（Ｃ２２Ａ）、
として機能させることを特徴とする。
【００２７】
（第３発明の形態１の作用）
前記構成要件を備えた第３発明の形態１の技術文献情報表示プログラムでは、検索結果表示手段（Ｃ１８）は、技術文献に記載された技術内容毎に付与された技術分類情報を含む多数の技術文献の中から検索条件に基づいて検索された技術文献の技術内容を表示する。文献抽出判別手段（Ｃ２２）は、前記検索結果表示手段（Ｃ１８）により表示された技術文献の中から抽出された技術文献が有ったか否かを判別する。前記抽出技術文献情報記憶手段（Ｃ２２Ａ）は、抽出された前記技術文献の情報を記憶する。
したがって、第３発明の形態１の技術文献情報表示プログラムでは、表示された技術内容を参照して、ユーザが技術文献を抽出することができるので、検索の精度をより高めることができる。
【発明の効果】
【００２８】
前述の本発明は、下記の効果（Ｅ01）を奏する。
（Ｅ01）技術分類情報を容易に理解でき、精度の良い技術文献の検索が容易にできる。
【発明を実施するための最良の形態】
【００２９】
次に図面を参照しながら、本発明の実施の形態の具体例（実施例）を説明するが、本発明は以下の実施例に限定されるものではない。
【実施例１】
【００３０】
図１は、本発明の技術文献情報表示システムの実施例１の説明図である。
図１において、実施例１の技術文献情報表示システムＳは、ユーザが操作可能な端末としてのクライアントパソコン（技術文献情報表示装置）ＰＣを有する。
前記クライアントパソコンＰＣは、インターネット１を介して、技術文献の検索を行う文献検索サーバ（データベースサーバ）ＤＢＳ１や、Ｆターム一覧表データを提供するＦターム一覧表データ提供サーバ（データベースサーバ）ＤＢＳ２や、その他の情報配信業者（コンテンツプロバイダ、アプリケーションサービスプロバイダ等）のサーバＤＢＳ３に接続されている。なお、実施例１の文献検索サーバＤＢＳ１として、例えば、特許文献の検索が可能なパトリス（登録商標）のサーバ等の従来公知のサーバを使用することができる。また、前記Ｆターム一覧表データ提供サーバとして、例えば、特許電子図書館（ＩＰＤＬ）のＦターム一覧表のデータを記憶したサーバを使用することができる。
【００３１】
前記クライアントパソコンＰＣや各サーバＤＢＳ１〜ＤＢＳ３は、コンピュータ本体Ｈ１、ディスプレイＨ２、キーボード（入力装置）Ｈ３、マウス（入力装置）Ｈ４、図示しないＨＤドライブ（ハードディスクドライブ）、ＣＤドライブ（コンパクトディスクドライブ）、およびＦＤドライブ（フレキシブルディスクドライブ）等により構成されている。
【００３２】
（クライアントパソコンＰＣの機能の説明）
図２は前記図１に示す技術文献情報表示システムを構成する各装置の機能をブロック図（機能ブロック図）で示した図である。
図２において、クライアントパソコンＰＣのコンピュータ本体Ｈ１は、外部との信号の入出力および入出力信号レベルの調節等を行うＩ／Ｏ（入出力インターフェース）、必要な起動処理を行うためのプログラムおよびデータ等が記憶されたＲＯＭ（リードオンリーメモリ、記録媒体）、必要なデータ及びプログラムを一時的に記憶するためのＲＡＭ（ランダムアクセスメモリ、記録媒体）、ＲＯＭ等に記憶された起動プログラムに応じた処理を行うＣＰＵ（中央演算処理装置）、ならびにクロック発振器等を有しており、前記ＲＯＭ及びＲＡＭ等に記憶されたプログラムを実行することにより種々の機能を実現することができる。
【００３３】
前記クライアントパソコンＰＣの前記ハードディスクドライブには、キーボードＨ３やマウスＨ４等からの入力に応じて処理を行い、ディスプレイＨ２に表示を行うオペレーティングシステム（基本ソフトウェア）ＯＳや文献検索表示プログラム（アプリケーションソフトウェア）ＡＰ１、頻度解析表示プログラム（アプリケーションソフトウェア）ＡＰ２、その他の図示しないアプリケーションプログラム（例えば、ワープロソフト等）が記録されている。
前記各ソフトウェアは、次の各機能実現手段（プログラムモジュール）を有している。
【００３４】
図２において、前記オペレーティングシステムＯＳは、ユーザの入力に応じて指定されたデータを一時的に記憶するデータ一時記憶手段Ｃ１を提供する。
前記文献検索表示プログラムＡＰ１は、検索条件入力画像作成手段Ｃ１１と、検索条件記憶手段Ｃ１２と、検索条件送信手段Ｃ１３と、検索条件該当文献数受信手段Ｃ１４と、該当文献数表示画像作成手段Ｃ１５と、技術内容送信要求手段Ｃ１６と、技術内容受信手段Ｃ１７と、技術内容表示画像作成手段Ｃ１８とを有し、ユーザが検索したい技術文献の検索条件の入力や、検索結果の表示を実行する。なお、前記文献検索表示プログラムＡＰ１として、例えば、特許文献の検索が可能なパトリス（登録商標）等が提供するユーザーインターフェイスプログラムを用いたサービスを使用することができる。
【００３５】
図３は検索条件入力画像の説明図であり、図３Ａは検索条件が未入力の状態の検索条件入力画像の説明図、図３Ｂは検索条件が入力された状態の検索条件入力画像の説明図である。
Ｃ１１：検索条件入力画像作成手段
検索条件入力画像作成手段Ｃ１１は、検索条件入力画像１１（図３参照）を作成し、ディスプレイＨ２に表示する。図３において、前記検索条件入力画像１１は、検索対象の技術文献が特許出願に関する文献であるか実用新案登録出願に関する文献であるかを選択するための対象ファイル選択欄１２と、ユーザが検索条件をキーボードＨ３により直接入力するための検索条件直接入力欄１３と、入力された検索条件を前記文献検索サーバＤＢＳ１に送信して文献の検索を行うための検索開始キー１４とを有している。なお、実施例１の検索条件直接入力欄１３には、予め設定されたコマンドを直接入力することにより検索条件を入力するように構成されている。例えば、キーワードとして「Ｆターム」と「検索」を両方とも含み且つＩＰＣ（国際特許分類）がＧ０６Ｆに分類されている技術文献を検索する場合には、図３Ｂに示すように入力を行う。
【００３６】
Ｃ１２：検索条件記憶手段
検索条件記憶手段Ｃ１２は、前記検索条件入力画像１１において入力された検索条件（対象ファイル選択欄１２の選択結果や検索条件直接入力欄１３に入力された内容）を記憶する。
Ｃ１３：検索条件送信手段
検索条件送信手段Ｃ１３は、前記検索開始キー１４の入力がされた場合に、前記文献検索サーバＤＢＳ１に検索条件のデータを送信する。
Ｃ１４：検索条件該当文献数受信手段
検索条件該当文献数受信手段Ｃ１４は、検索条件に応じて前記文献検索サーバＤＢＳ１から送信された検索条件に該当する技術文献の数（検索条件該当文献数）を受信し、記憶する。
【００３７】
図４は実施例１の検索条件該当文献数表示画像の説明図であり、キーワードとして「Ｆターム」と「検索」を両方とも含み且つＩＰＣ（国際特許分類）がＧ０６Ｆに分類されている技術文献の検索を実行し、５１件の技術文献が検索された場合の検索条件該当文献数表示画像の説明図である。
Ｃ１５：該当文献数表示画像作成手段
該当文献数表示画像作成手段Ｃ１５は、受信した検索条件該当文献数に基づいて、検索条件該当文献数をユーザに告知するための該当文献数表示画像（検索結果画像、図４参照）１６を作成し、ディスプレイＨ２に表示する。図４において、該当文献数表示画像１６は、検索された技術文献の技術内容の送信を要求するための技術内容送信要求キー１７および技術内容送信要求用リンク１７′を有している。
【００３８】
Ｃ１６：技術内容送信要求手段
技術内容送信要求手段Ｃ１６は、前記該当文献数表示画像１６において技術内容送信要求キー１７または技術内容送信要求用リンク１７′の入力がされた場合に、検索条件に該当する技術文献の技術内容のデータ（情報）の送信を文献検索サーバＤＢＳ１に要求する技術内容送信要求信号を文献検索サーバＤＢＳ１に送信する。
Ｃ１７：技術内容受信手段
技術内容受信手段Ｃ１７は、技術内容送信要求信号に応じて文献検索サーバＤＢＳ１から送信された技術内容のデータを受信し、記憶する。
【００３９】
図５は技術内容表示画像の説明図であり、文献番号１，３，５の部分の要部拡大説明図である。
図６は図５においてユーザが文献番号４，５の部分の技術内容を選択して反転表示された場合の技術内容表示画像の説明図である。
Ｃ１８：技術内容表示画像作成手段（検索結果表示手段）
技術内容表示画像作成手段Ｃ１８は、技術内容受信手段Ｃ１７が受信した技術内容のデータに基づいて、技術内容を表示するための技術内容表示画像（図５参照、検索結果画像）２１を作成し、ディスプレイＨ２に表示する。図５において、実施例１の技術内容表示画像２１は、各特許文献の発明の名称や出願番号、公開番号、出願人名、発明者名、要約の内容（技術内容）および技術分類情報（ＩＰＣ、ＦＩおよびＦターム）等の情報（いわゆる書誌的事項や要約等の情報）を含む。図６において、実施例１の技術内容表示画像２１において、ユーザが技術内容の範囲指定をする入力を行った場合、オペレーティングシステムＯＳにより、図６に示すように、技術内容表示画像２１は、範囲指定された部分が反転表示された技術内容表示画像２１′に更新される。なお、この状態で、範囲指定された部分をコピー（またはカット）する入力を行った場合、範囲指定された部分のデータが前記データ一時記憶手段Ｃ１に記憶される。
【００４０】
図２において、頻度解析表示プログラム（技術文献情報表示プログラム）ＡＰ２は、頻度解析用画像作成手段Ｃ２１と、頻度解析用データ入力判別手段Ｃ２２と、入力データ整列手段Ｃ２３と、入力データクリア手段Ｃ２４と、頻度抽出手段Ｃ２５と、Ｆターム選択判別手段Ｃ２６と、頻度解析データ外部出力手段Ｃ２７と、頻度付与一覧画像作成表示手段Ｃ２８と、を有する。前記頻度解析表示プログラムＡＰ２は、ユーザにより抽出された技術文献の技術分類情報の出現頻度を解析し、技術分類情報と技術分類情報の技術内容とを対応させた技術分類一覧表に出現頻度を付与して表示する。
【００４１】
図７は実施例１の頻度解析用画像の説明図である。
Ｃ２１：頻度解析用画像作成手段
頻度解析用画像作成手段Ｃ２１は、頻度解析を行うために頻度解析表示プログラムＡＰ２起動時に表示される頻度解析用画像３１（図７参照）を作成する。実施例１の頻度解析用画像３１は、データ一時記憶手段Ｃ１に記憶されたデータを貼り付けたり（ペーストしたり）技術内容表示画像２１で範囲指定されたデータをドラッグアンドドロップしたりしてユーザが抽出した情報（データ）を入力するための抽出データ入力欄３２を有する。また、前記頻度解析用画像３１は、ユーザがＦタームを直接入力するためのＦターム直接入力欄３３と、前記Ｆターム直接入力欄３３に入力されたＦタームを番号順に整列させるＦターム整列キー（図７の「整列」キー）３４とを有する。また、前記頻度解析用画像３１は、各入力欄３２，３３に入力されたデータから抽出されたＦタームを全て表示する全抽出Ｆターム表示欄３６と、抽出されたＦタームと重複して抽出された回数（出現頻度）とを対応させて表示する頻度表示欄３７と、抽出されたＦタームをＦタームのテーマコード毎にグループ化して表示する複数のテーマコード別頻度表示欄３８と、を有する。さらに、前記頻度解析用画像３１は、各入力欄３２，３３に入力されたデータからＦタームの抽出を開始するための抽出開始キー（「ｓｔａｒｔ」キー）３９と、各入力欄３２，３３および各表示欄３６〜３８のデータを消去するためのデータ消去キー（「ｃｌｅａｒ」キー）４１と、Ｆタームリスト画像の作成を実行するためのＦタームリスト作成キー（「Ｆタームリスト」キー）４２と、各テーマコード別頻度表示欄３８に表示されたデータをテキストデータとして記録する（外部出力する）ための外部出力開始キー（「Ｎｏｔｅ  Ｐａｄ」キー）４３と、頻度解析表示プログラムＡＰ２を終了させるための終了キー（「Ｅｎｄ」キー）４４と、を有する。
【００４２】
図８は、前記図７の頻度解析用画像において、抽出データ入力欄にデータが入力された状態の説明図である。
Ｃ２２：頻度解析用データ入力判別手段（文献抽出判別手段）
頻度解析用データ入力判別手段Ｃ２２は、前記各入力欄３２，３３に入力されたデータを記憶する頻度解析用入力データ記憶手段（抽出技術文献情報記憶手段）Ｃ２２を有する。そして、頻度解析用データ入力判別手段Ｃ２２は、前記技術内容表示画像２１に表示された技術文献の中から抽出された技術文献があったか否か、すなわち、各入力欄３２，３３へのデータ入力（直接入力やペーストあるいはドラッグアンドドロップ等）がされた否かを判別する。例えば、図７に示す頻度解析用画像３１において抽出データ入力欄３２にデータをペーストする入力がされた場合、図８に示すように、データ一時記憶手段Ｃ１に記憶されたデータが抽出データ入力欄３２に表示され、頻度解析用データ入力判別手段Ｃ２２は、技術内容表示画像２１に表示された技術文献の中から技術文献（データ）が抽出されたものと判別する。
【００４３】
Ｃ２３：入力データ整列手段
入力データ整列手段Ｃ２３は、前記Ｆターム整列キー３４の入力に応じて、前記Ｆターム直接入力欄３３に入力されたＦタームを番号順に整列（ソート）する。
Ｃ２４：入力データクリア手段
入力データクリア手段Ｃ２４は、前記データ消去キー４１の入力に応じて、前記各入力欄３２，３３および各表示欄３６〜３８に表示されたデータを消去する。
Ｃ２５：頻度抽出手段
頻度抽出手段Ｃ２５は、Ｆターム抽出手段Ｃ２５Ａと、頻度カウント手段Ｃ２５Ｂと、テーマコード別グループ化手段Ｃ２５Ｃと、頻度抽出結果画像作成手段Ｃ２５Ｄとを有し、前記抽出開始キー３９の入力がされた場合に、各入力欄３２，３３のデータ（抽出技術文献情報）に基づいて、Ｆターム（技術分類情報）の頻度を抽出する。
【００４４】
Ｃ２５Ａ：Ｆターム抽出手段
Ｆターム抽出手段Ｃ２５Ａは、各入力欄３２，３３のデータからＦタームを抽出する。前記Ｆタームは、テーマコードが「数字、アルファベット、数字、数字、数字」、タームコードが「アルファベット、アルファベット、数字、数字」の様に、所定のデータ形式であるので、実施例１のＦターム抽出手段Ｃ２５Ａは、抽出データ入力欄３２に入力された文字データや数字データの中から、Ｆタームのデータ形式のものを検索し、抽出する。また、Ｆターム抽出手段Ｃ２５Ａは、Ｆターム直接入力欄３３に入力されたデータから、Ｆタームの形式に合致するものを判別し、抽出する。
【００４５】
Ｃ２５Ｂ：頻度カウント手段
頻度カウント手段Ｃ２５Ｂは、前記Ｆターム抽出手段Ｃ２５Ａで抽出されたＦターム毎に抽出された回数（出現頻度）をカウントする。
Ｃ２５Ｃ：テーマコード別グループ化手段
テーマコード別グループ化手段Ｃ２５Ｃは、前記Ｆターム抽出手段Ｃ２５Ａで抽出されたＦタームの中でテーマコードが共通するＦタームを検索し、テーマコード別にグループ化する。
【００４６】
図９は、前記図８に示す状態から抽出開始キー３９の入力がされ、頻度抽出結果が表示された状態の説明図である
Ｃ２５Ｄ：頻度抽出結果画像作成手段
頻度抽出結果画像作成手段Ｃ２５Ｄは、抽出されたＦタームやカウントされた出現頻度、テーマコード別にグループ化された結果の画像（頻度抽出結果画像）を作成し、全抽出Ｆターム表示欄３６、頻度表示欄３７、テーマコード別頻度表示欄３８に表示する（図９参照）。
【００４７】
図１０は、図９に示す状態においてテーマコード別頻度表示欄の特定のＦタームが選択された状態の説明図である。
Ｃ２６：Ｆターム選択判別手段
Ｆターム選択判別手段Ｃ２６は、ユーザの入力（例えば、マウスＨ４のクリック等）により、テーマコード別頻度表示欄３８に表示されたいずれかのＦタームが選択された（図１０参照）か否かを判別する。
【００４８】
Ｃ２７：頻度解析データ外部出力手段
頻度解析データ外部出力手段Ｃ２７は、外部出力開始キー４３が入力されたか否かを判別し、外部出力開始キー４３の入力がされた場合にはテーマコード別頻度表示欄３８のデータを所定のデータ形式で保存する（外部出力する）。実施例１の頻度解析データ外部出力手段Ｃ２７は、前記外部出力開始キー４３の入力がされた場合、テキスト形式でデータを保存する。なお、データ形式は、前記テキスト形式に限定されず、ＣＳＶ形式やイメージデータの形式、その他のアプリケーションプログラムで使用可能な任意の形式とすることも可能である。また、前記外部出力開始キー４３の入力がされた場合に自動的に保存したが、これに限定されず、他の所定のアプリケーションプログラム（テキストエディタやワープロソフト、表計算ソフト等）を起動する様に構成することも可能である。
【００４９】
Ｃ２８：頻度付与一覧画像作成表示手段
頻度付与一覧画像作成表示手段Ｃ２８は、Ｆタームリスト画像作成手段Ｃ２８Ａと、Ｆターム一覧表データ送信要求手段Ｃ２８Ｂと、Ｆターム一覧表データ受信手段Ｃ２８Ｃと、頻度情報付与一覧表作成手段Ｃ２８Ｄとを有し、技術分類情報（Ｆターム）と技術分類情報に対応する技術内容を特定する技術内容特定情報とを対応させて表示する技術分類一覧表に、前記頻度抽出手段Ｃ２５で抽出されたＦターム（技術分類情報）やその出現頻度を、付与した頻度情報付与一覧表の画像（頻度情報付与一覧表画像）を作成し、表示する。
【００５０】
図１１はＦタームリスト画像の説明図である。
Ｃ２８Ａ：Ｆタームリスト画像作成手段
Ｆタームリスト画像作成手段Ｃ２８Ａは、ユーザ入力により選択されたＦタームのテーマコード別のグループのＦタームおよびその出現頻度をリスト化したＦタームリスト画像５１（図１１参照）を作成し、ディスプレイＨ２に表示する。図１１において、実施例１のＦタームリスト画像５１は、Ｆタームとその出現頻度のリストが表示されるＦタームリスト表示欄５２と、後述する頻度情報付与一覧表の作成を開始するための頻度情報付与一覧表作成キー（「Ｆターム照会」キー）５３と、Ｆタームリスト画像（ウィンドウ）５１を閉じるためのウィンドウ閉じキー５４とを有する。
【００５１】
Ｃ２８Ｂ：Ｆターム一覧表データ送信要求手段
Ｆターム一覧表データ送信要求手段Ｃ２８Ｂは、前記頻度情報付与一覧表作成キー５３の入力がされた場合に、ＦタームとＦタームの技術内容とが対応して表示されたＦターム一覧表（技術分類一覧表）のデータの送信を要求するＦターム一覧表送信要求信号を、前記Ｆターム一覧表データ提供サーバＤＢＳ２に送信する。実施例１のＦターム一覧表データ送信要求手段Ｃ２８Ｂは、ＦタームリストのテーマコードのＦターム一覧表の送信を要求する。
Ｃ２８Ｃ：Ｆターム一覧表データ受信手段（技術分類一覧表記憶手段）
Ｆターム一覧表データ受信手段Ｃ２８Ｃは、Ｆターム一覧表データの送信要求に応じてＦターム一覧表データ提供サーバＤＢＳ２から送信されたＦターム一覧表のデータを受信し、記憶する。
【００５２】
図１２は前記図１１のＦタームリスト画像から作成された頻度情報付与一覧表の説明図である。
図１３は、前記図１２の頻度情報付与一覧表の続きの説明図である。
図１４は、前記図１２，図１３の頻度情報付与一覧表の続きの説明図である。
Ｃ２８Ｄ：頻度情報付与一覧表作成手段
頻度情報付与一覧表作成手段Ｃ２８Ｄは、テーマコード全頻度情報付与手段Ｃ２８Ｄ１と、タームコード頻度情報付与手段Ｃ２８Ｄ２とを有し、Ｆターム一覧表（技術分類一覧表）に、Ｆターム（技術分類情報）の出現頻度を付与した頻度情報付与一覧表６１（図１２〜図１４参照）を作成する。図１２〜図１４において、実施例１の頻度情報付与一覧表６１は、テーマコード（図１２では「５Ｂ０７５」）およびテーマコードの技術内容（図１２では「検索装置」）と、各タームコードおよびその技術内容の一覧表により構成されている。
【００５３】
Ｃ２８Ｄ１：テーマコード全頻度情報付与手段
テーマコード全頻度情報付与手段Ｃ２８Ｄ１は、Ｆターム一覧表のテーマコード表示欄６２（図１２参照）に、前記ＦタームリストのＦタームの出現頻度の合計値、すなわち、全頻度（図１２では「（１２）」）を付与する。
Ｃ２８Ｄ２：タームコード頻度情報付与手段
タームコード頻度情報付与手段Ｃ２８Ｄ２は、前記Ｆタームリストにリストアップされている各Ｆタームに対応するタームコード表示欄６３に、出現頻度の情報（図１３，図１４では「１」や「２」）を付与する（図１３，図１４参照）。なお、実施例１の頻度情報付与一覧表６１では、出現頻度情報が付与されたタームコード表示欄６３は強調表示するように構成されている。
【００５４】
（文献検索サーバＤＢＳ１の制御部の説明）
図２において、文献検索サーバＤＢＳ１のコンピュータ本体Ｈ１は、外部との信号の入出力および入出力信号レベルの調節等を行うＩ／Ｏ（入出力インターフェース）、必要な処理を行うためのプログラムおよびデータ等が記憶されたＲＯＭ（リードオンリーメモリ、記録媒体）、必要なデータを一時的に記憶するためのＲＡＭ（ランダムアクセスメモリ、記録媒体）、ＲＯＭ等に記憶されたプログラムに応じた処理を行うＣＰＵ（中央演算処理装置）、ならびにクロック発振器等を有しており、前記ＲＯＭ等に記憶されたプログラムを実行することにより種々の機能を実現することができる。
前記文献検索サーバＤＢＳ１の前記ハードディスクドライブには、キーボードＨ３やマウスＨ４等からの入力に応じて処理を行い、ディスプレイＨ２に表示を行うオペレーティングシステム（基本ソフトウェア、図示せず）や、文献検索送信プログラム（アプリケーションソフトウェア）ＡＰ１１、その他の図示しないプログラムが記録されている。前記文献検索送信プログラムＡＰ１１は、以下のプログラムモジュール（制御手段）を有している。
【００５５】
Ｃ１０１：技術文献情報記憶手段
技術文献情報記憶手段Ｃ１０１は、技術文献に記載された技術内容毎に付与された技術分類情報を含む多数の技術文献の情報を記憶する。実施例１の技術文献情報記憶手段Ｃ１０１は、前記技術文献としての公開特許公報、公表特許公報、特許公報、実用新案公報、登録実用新案公報、公開実用新案公報および公表実用新案公報を記憶する。また、実施例１の技術文献情報記憶手段Ｃ１０１は、少なくとも、各技術文献の発明の名称や出願番号、公開番号、出願人名、発明者名、要約の内容（技術内容）や代表図面および技術分類情報（ＩＰＣ、ＦＩおよびＦターム）等の情報を、キーワードや技術分類情報で検索可能な情報（データ）として記憶する。
Ｃ１０２：検索条件受信手段
検索条件受信手段Ｃ１０２は、クライアントパソコンＰＣから送信され検索条件を受信し、記憶する。
【００５６】
Ｃ１０３：検索条件該当文献検索手段（技術文献検索手段）
検索条件該当文献検索手段Ｃ１０３は、検索条件該当文献数カウント手段Ｃ１０３Ａを有し、前記技術文献情報記憶手段Ｃ１０１に記憶された多数の技術文献の情報に基づいて、受信した検索条件に該当する技術文献の検索を行う。
Ｃ１０３Ａ：検索条件該当文献数カウント手段
検索条件該当文献数カウント手段Ｃ１０３Ａは、検索条件に該当する技術文献の文献数（検索条件該当文献数）をカウントする。
Ｃ１０４：検索条件該当文献数送信手段
検索条件該当文献数送信手段Ｃ１０４は、前記検索条件該当文献数カウント手段Ｃ１０３Ａによりカウントされた検索条件該当文献数をクライアントパソコンＰＣに送信する。
【００５７】
Ｃ１０５：技術内容送信要求受信手段
技術内容送信要求受信手段Ｃ１０５は、クライアントパソコンＰＣから送信された技術内容送信要求信号を受信する。
Ｃ１０６：技術内容データ送信手段（技術内容情報送信手段）
技術内容データ送信手段Ｃ１０６は、前記技術内容送信要求信号を受信した場合に、検索条件に該当する技術文献の技術内容のデータ（発明の名称や要約の内容、技術分類情報等）を送信する。
【００５８】
（Ｆターム一覧表データ提供サーバＤＢＳ２の制御部の説明）
図２において、Ｆターム一覧表データ提供サーバＤＢＳ２のコンピュータ本体Ｈ１は、外部との信号の入出力および入出力信号レベルの調節等を行うＩ／Ｏ（入出力インターフェース）、必要な処理を行うためのプログラムおよびデータ等が記憶されたＲＯＭ（リードオンリーメモリ、記録媒体）、必要なデータを一時的に記憶するためのＲＡＭ（ランダムアクセスメモリ、記録媒体）、ＲＯＭ等に記憶されたプログラムに応じた処理を行うＣＰＵ（中央演算処理装置）、ならびにクロック発振器等を有しており、前記ＲＯＭ等に記憶されたプログラムを実行することにより種々の機能を実現することができる。
前記Ｆターム一覧表データ提供サーバＤＢＳ２の前記ハードディスクドライブには、キーボードＨ３やマウスＨ４等からの入力に応じて処理を行い、ディスプレイＨ２に表示を行うオペレーティングシステム（基本ソフトウェア、図示せず）や、Ｆターム一覧表データ提供プログラム（アプリケーションソフトウェア）ＡＰ２１、その他の図示しないプログラムが記録されている。前記Ｆターム一覧表データ提供プログラムＡＰ２１は、以下のプログラムモジュール（制御手段）を有している。
【００５９】
Ｃ２０１：Ｆターム一覧表データ記憶手段（技術分類一覧表記憶手段）
Ｆターム一覧表データ記憶手段Ｃ２０１は、Ｆタームに対応する技術内容を特定する技術内容特定情報（Ｆタームの標題）に、Ｆターム（技術分類情報）を対応させて表示するＦターム一覧表（技術分類一覧表）を記憶する。実施例１のＦターム一覧表データ記憶手段Ｃ２０１は、テーマコード毎にＦターム一覧表を記憶する。
Ｃ２０２：Ｆターム一覧表データ送信要求受信手段
Ｆターム一覧表データ送信要求受信手段Ｃ２０２は、クライアントパソコンＰＣから送信されたＦターム一覧表データ送信要求信号を受信する。
Ｃ２０３：Ｆターム一覧表データ送信手段
Ｆターム一覧表データ送信手段Ｃ２０３は、Ｆターム一覧表データ送信要求信号を受信した場合に、該当するテーマコードのＦターム一覧表をクライアントパソコンＰＣに送信する。
【００６０】
（フローチャートの説明）
（文献検索サーバのフローチャートの説明）
図１５は実施例１の技術文献情報表示システムの文献検索サーバの文献検索送信処理のフローチャートである。
図１５のフローチャートの各ＳＴ（ステップ）の処理は、文献検索サーバＤＢＳ１の文献検索送信プログラムＡＰ１１に従って行われる。また、この処理は文献検索サーバの他の各種処理と並行して実行される。
【００６１】
図１５に示すフローチャートは文献検索サーバＤＢＳ１の電源オンにより開始される。
図１５のＳＴ１において、クライアントパソコンＰＣから送信された検索条件のデータを受信したか否かを判別する。イエス（Ｙ）の場合はＳＴ２に移り、ノー（Ｎ）の場合はＳＴ５に移る。
ＳＴ２において、受信した検索条件に基づいて技術文献の検索を実行する。そして、ＳＴ３に移る。
ＳＴ３において、検索条件に該当する技術文献の数をカウントする。そして、ＳＴ４に移る。
【００６２】
ＳＴ４において、検索条件を送信したクライアントパソコンＰＣに、カウントされた検索条件該当文献数を送信する。そして、ＳＴ１に戻る。
ＳＴ５において、クライアントパソコンＰＣから送信された技術内容送信要求信号を受信したか否かを判別する。イエス（Ｙ）の場合はＳＴ６に移り、ノー（Ｎ）の場合はＳＴ１に戻る。
ＳＴ６において、検索条件に該当する技術文献の技術内容データをクライアントパソコンＰＣに送信する。
【００６３】
（Ｆターム一覧表提供データサーバのフローチャートの説明）
図１６は実施例１の技術文献情報表示システムのＦターム一覧表データ提供サーバのＦターム一覧表提供処理のフローチャートである。
図１６のフローチャートの各ＳＴ（ステップ）の処理は、Ｆターム一覧表データ提供サーバＤＢＳ２のＦターム一覧表提供プログラムＡＰ２１に従って行われる。また、この処理はＦターム一覧表データ提供サーバＤＢＳ２の他の各種処理と並行して実行される。
【００６４】
図１６に示すフローチャートはＦターム一覧表データ提供サーバＤＢＳ２の電源オンにより開始される。
図１６のＳＴ１１において、クライアントパソコンＰＣから送信されたＦターム一覧表データ送信要求信号を受信したか否かを判別する。ノー（Ｎ）の場合はＳＴ１１を繰り返し、イエス（Ｙ）の場合はＳＴ１２に移る。
ＳＴ１２において、送信要求があったテーマコードのＦターム一覧表データをクライアントパソコンＰＣに送信する。そして、ＳＴ１１に戻る。
【００６５】
（クライアントパソコンのフローチャートの説明）
（文献検索表示処理のフローチャートの説明）
図１７は実施例１の技術文献情報表示システムのクライアントパソコンＰＣの文献検索表示処理のフローチャートである。
図１７のフローチャートの各ＳＴ（ステップ）の処理は、クライアントパソコンＰＣの文献検索表示プログラムＡＰ１に従って行われる。また、この処理はクライアントパソコンＰＣの他の各種処理と並行して実行される。
【００６６】
図１７に示すフローチャートは文献検索表示プログラムの起動により開始される。
図１７のＳＴ２１において、検索条件入力画像１１（図３参照）を表示する。そして、ＳＴ２２に移る。
ＳＴ２２において、検索条件直接入力欄１３や対象ファイル選択欄１２への入力がされたか否かを判別する。イエス（Ｙ）の場合はＳＴ２３に移り、ノー（Ｎ）の場合はＳＴ２４に移る。
ＳＴ２３において、ユーザの入力に応じて検索条件入力画像１１を更新し（図３Ｂ参照）、ＳＴ２２に戻る。
【００６７】
ＳＴ２４において、検索開始キー１４の入力がされたか否かを判別する。ノー（Ｎ）の場合はＳＴ２５に移り、イエス（Ｙ）の場合はＳＴ２６に移る。
ＳＴ２５において、文献検索表示プログラムＡＰ１を終了する入力がされたか否かを判別する。ノー（Ｎ）の場合はＳＴ２２に戻り、イエス（Ｙ）の場合は文献検索表示プログラムＡＰ１を終了する。
ＳＴ２６において、検索条件直接入力欄１３やファイル選択欄１２へ入力された検索条件を文献検索サーバＤＢＳ１に送信する。そして、ＳＴ２７に移る。
ＳＴ２７において、文献検索サーバＤＢＳ１から送信された検索条件該当文献数のデータを受信したか否かを判別する。ノー（Ｎ）の場合はＳＴ２７を繰り返し、イエス（Ｙ）の場合はＳＴ２８に移る。
【００６８】
ＳＴ２８において、受信した検索条件該当文献数に基づいて、該当文献数表示画像１６（図４参照）作成し、ディスプレイＨ２に表示する。そして、ＳＴ２９に移る。
ＳＴ２９において、技術内容の送信を要求する入力、すなわち、技術内容送信要求キー１７または技術内容送信要求用リンク１７′の入力がされたか否かを判別する。ノー（Ｎ）の場合はＳＴ３０に移り、イエス（Ｙ）の場合はＳＴ３１に移る。
ＳＴ３０において、文献検索表示プログラムＡＰ１を終了する入力がされたか否かを判別する。ノー（Ｎ）の場合はＳＴ２９に戻り、イエス（Ｙ）の場合は文献検索表示プログラムＡＰ１を終了する。
【００６９】
ＳＴ３１において、文献検索サーバＤＢＳ１に技術内容送信要求信号を送信する。そして、ＳＴ３２に移る。
ＳＴ３２において、文献検索サーバＤＢＳ１から送信された技術内容のデータを受信したか否かを判別する。ノー（Ｎ）の場合はＳＴ３２を繰り返し、イエス（Ｙ）の場合はＳＴ３３に移る。
ＳＴ３３において、技術内容表示画像２１（図５参照）を表示し、ＳＴ３４に移る。
【００７０】
ＳＴ３４において、技術内容表示画像２１において範囲指定を行う入力がされたか否かを判別する。イエス（Ｙ）の場合はＳＴ３５に移り、ノー（Ｎ）の場合はＳＴ３６に移る。
ＳＴ３５において、指定された範囲の技術内容表示画像２１を反転表示する（図６参照）。そして、ＳＴ３４に戻る。
ＳＴ３６において、指定された範囲のデータを保存する入力（コピーまたはカットする入力）がされたか否かを判別する。イエス（Ｙ）の場合はＳＴ３７に移り、ノー（Ｎ）の場合はＳＴ３８に移る。
ＳＴ３７において、指定された範囲のデータをデータ一時記憶手段Ｃ１に記憶し、ＳＴ３４に戻る。
ＳＴ３８において、文献検索表示プログラムＡＰ１を終了する入力がされたか否かを判別する。ノー（Ｎ）の場合はＳＴ３４に戻り、イエス（Ｙ）の場合は文献検索表示プログラムＡＰ１を終了する。
【００７１】
（頻度解析表示処理のフローチャートの説明）
図１８は実施例１の技術文献情報表示システムのクライアントパソコンＰＣの頻度解析表示処理のメインフローチャートである。
図１８のフローチャートの各ＳＴ（ステップ）の処理は、クライアントパソコンＰＣの頻度解析表示プログラムＡＰ２に従って行われる。また、この処理はクライアントパソコンＰＣの他の各種処理と並行して実行される。
【００７２】
図１８に示すフローチャートは頻度解析表示プログラムＡＰ２の起動により開始される。
図１８のＳＴ５１において、頻度解析用画像３１（図７参照）をディスプレイＨ２に表示する。そして、ＳＴ５２に移る。
ＳＴ５２において、各入力欄３２，３３への入力（ペーストや直接入力）がされたか否かを判別する。イエス（Ｙ）の場合はＳＴ５３に移り、ノー（Ｎ）の場合はＳＴ５４に移る。
ＳＴ５３において、次の処理（１）、（２）を実行し、ＳＴ５２に戻る。
（１）入力に応じて各入力欄３２，３３の画像を更新する（図８参照）。
（２）入力されたデータを記憶する。
【００７３】
ＳＴ５４において、Ｆターム整列キー３４（図７の「整列」キー３４参照）の入力がされたか否かを判別する。イエス（Ｙ）の場合はＳＴ５５に移り、ノー（Ｎ）の場合はＳＴ５６に移る。
ＳＴ５５において、次の処理（１）、（２）を実行し、ＳＴ５２に戻る。
（１）Ｆターム直接入力欄３３のデータを番号順（数字の小さい順、アルファベットの若い順）にソート（整列）する。
（２）Ｆターム直接入力欄３３の画像をソート後の画像に更新する。
【００７４】
ＳＴ５６において、抽出開始キー３９（図７の「ｓｔａｒｔ」キー３９参照）の入力がされたか否かを判別する。イエス（Ｙ）の場合はＳＴ５７に移り、ノー（Ｎ）の場合はＳＴ５９に移る。
ＳＴ５７において、次の処理（１）〜（３）を実行し、ＳＴ５８に移る。
（１）各入力欄３２，３３のデータからＦタームを抽出する。
（２）抽出されたＦターム毎に、重複して抽出された回数（出現頻度）をカウントする。
（３）抽出されたＦタームをテーマコード別にグループ化する。
ＳＴ５８において、次の処理（１）〜（３）を実行し、ＳＴ５２に戻る。
（１）全抽出Ｆターム表示欄３６に抽出されたＦタームを全て表示する（図９参照）。
（２）抽出されたＦタームに頻度を対応させて頻度表示欄３７に表示する（図９参照）。
（３）テーマコード毎にグループ化されたＦタームとそれらの頻度とを対応させてテーマコード別頻度表示欄３８に表示する（図９参照）。
【００７５】
ＳＴ５９において、データ消去キー４１（図７の「ｃｌｅａｒ」キー４１参照）の入力がされたか否かを判別する。イエス（Ｙ）の場合はＳＴ６０に移り、ノー（Ｎ）の場合はＳＴ６１に移る。
ＳＴ６０において、各欄３２，３３，３６〜３８に入力または表示されているデータをクリア（消去）し、各欄３２，３３，３６〜３８の画像を更新する。そして、ＳＴ５２に移る。
ＳＴ６１において、テーマコード別頻度表示欄３８において、いずれかのＦタームを選択する入力がされたか否かを判別する。イエス（Ｙ）の場合はＳＴ６２に移り、ノー（Ｎ）の場合はＳＴ６３に移る。
ＳＴ６２において、選択されたＦタームを反転表示する（図１０参照）。そして、ＳＴ５２に移る。
【００７６】
ＳＴ６３において、Ｆタームリスト作成キー４２（図７の「Ｆタームリスト」キー４２参照）の入力がされたか否かを判別する。イエス（Ｙ）の場合はＳＴ６４に移り、ノー（Ｎ）の場合はＳＴ６５に移る。
ＳＴ６４において、Ｆタームリスト画像５１（図１１参照）を表示し、頻度情報付与一覧表画像６１（図１２〜図１４参照）を表示する頻度情報付与一覧画像作成表示処理（後述する図１９のサブルーチン参照）を実行して、ＳＴ５２に戻る。
ＳＴ６５において、外部出力開始キー４３（図７の「Ｎｏｔｅ  Ｐａｄ」キー４３参照）の入力がされたか否かを判別する。イエス（Ｙ）の場合はＳＴ６６に移り、ノー（Ｎ）の場合はＳＴ６７に移る。
ＳＴ６６において、テーマコード別頻度表示欄３８のデータをテーマコード毎にテキストデータで保存（外部出力）する。そして、ＳＴ５２に移る。
ＳＴ６７において、終了キー４４（図７の「Ｅｎｄ」キー４４参照）の入力または頻度解析表示プログラムＡＰ２を終了する入力がされたか否かを判別する。ノー（Ｎ）の場合はＳＴ５２に戻り、イエス（Ｙ）の場合は頻度解析表示プログラムＡＰ２を終了する。
【００７７】
（頻度情報付与一覧画像作成表示処理（ＳＴ６４のサブルーチン）の説明）
図１９は頻度情報付与一覧画像作成表示処理のフローチャートであり、図１８のＳＴ６４のサブルーチンの説明図である。
図１９のＳＴ７１において、選択されたＦタームの属するテーマコードのグループのＦタームおよびその出現頻度をリスト化したＦタームリスト画像５１（図１１参照）を作成し、ディスプレイＨ２に表示する。そして、ＳＴ７２に移る。
ＳＴ７２において、頻度情報付与一覧表作成キー５３（図１１の「Ｆターム照会」キー５３参照）の入力がされたか否かを判別する。ノー（Ｎ）の場合はＳＴ７３に移り、イエス（Ｙ）の場合はＳＴ７５に移る。
【００７８】
ＳＴ７３において、ウィンドウ閉じキー５４（図１１の「閉じる」キー５４参照）の入力がされたか否かを判別する。イエス（Ｙ）の場合はＳＴ７４に移り、ノー（Ｎ）の場合はＳＴ７１に移る。
ＳＴ７４において、Ｆタームリスト画像５１を閉じる。そして、図１９の頻度情報付与一覧画像作成表示処理を終了して、図１８の頻度解析表示処理に戻る。
ＳＴ７５において、Ｆターム一覧表提供サーバＤＢＳ２に、ＦタームリストのテーマコードのＦターム一覧表データの送信を要求する信号を送信する。そして、ＳＴ７６に移る。
【００７９】
ＳＴ７６において、Ｆターム一覧表データ送信要求に応じてＦターム一覧表提供サーバＤＢＳ２から送信されるＦターム一覧表データを受信したか否かを判別する。ノー（Ｎ）の場合はＳＴ７６を繰り返し、イエス（Ｙ）の場合はＳＴ７７に移る。
ＳＴ７７において、Ｆターム一覧表データと、Ｆタームリストのデータとに基づいて、頻度情報付与一覧画像６１（図１２〜図１４参照）を作成し、ＳＴ７８に移る。すなわち、以下の（１）、（２）の処理を実行する。
（１）テーマコード表示欄６２に全頻度情報を付与する。
（２）該当するタームコードのタームコード表示欄６３に頻度情報を付与する。
ＳＴ７８において、作成された頻度情報付与一覧画像６１をディスプレイＨ２に表示する。そして、図１９の頻度情報付与一覧画像作成表示処理を終了して、図１８の頻度解析表示処理に戻る。
【００８０】
（実施例１の作用）
前記構成を備えた実施例１の技術文献情報表示システムＳでは、頻度解析表示プログラムＡＰ２の頻度解析用データ入力判別手段Ｃ２２は、文献検索表示プログラムＡＰ１によりディスプレイＨ２に表示された技術文献の中から、技術文献が抽出されたか否かを判別する。そして、抽出開始キー（「ｓｔａｒｔ」キー）３９の入力がされると、抽出された技術文献のＦタームの出現頻度を抽出し、各表示欄３６〜３８に表示する。前記テーマコード別頻度表示欄３８に表示されたいずれかのＦタームが選択された状態で前記Ｆタームリスト作成キー４２の入力がされると、Ｆタームリスト画像５１が作成される。前記Ｆタームリスト画像５１において、頻度情報付与一覧表作成キー５３の入力がされると、Ｆタームと、Ｆタームに対応する技術内容（Ｆタームの標題）と、その出現頻度とを対応させた頻度情報付与一覧画像６１が作成される。
【００８１】
例えば、図１２〜図１４において、ユーザが検索結果の技術内容を参照して抽出した技術文献の内容は、「文字コード」を使用し、「自然言語解析による検索キーの抽出」を行う技術に関連が深く、「類義語拡張」や「クラスタリング」に関連があり、「表示出力」や「グラフィックス化」、「一覧表示」にも関連がある技術であると、頻度情報付与一覧画像６１（図１２〜図１４参照）を参照することで容易にユーザが理解できる。したがって、ユーザは、自分が探している技術内容や似ていると判断した技術内容を容易に理解することができる。また、自分が探している技術内容等が分類されている技術分類情報（Ｆターム）も容易に把握することができる。
【００８２】
したがって、実施例１の技術文献情報表示システムＳでは、頻度情報付与一覧画像６１に、Ｆターム（技術分類情報）と、Ｆタームの内容（技術内容特定情報）と、その出現頻度とが一覧表となって表示されている。よって、ユーザは、抽出された技術文献のＦタームの出現頻度と、技術内容とを容易に理解することができる。すなわち、文献検索表示プログラムＡＰ１で検索、表示された文献の中からユーザが抽出した技術文献がどのような技術分野に分類されているかを容易に認識することができる。この結果、ユーザが探している技術内容や、ユーザが似ていると判断して抽出した技術内容に対応するＦターム（技術分類情報）を容易に把握することができ、把握したＦタームの標題をキーワードとしたり、把握したＦタームを利用して再検索をすることができる。したがって、精度のよい技術文献の検索を行うことができる。
【００８３】
また、実施例１の技術文献情報表示システムＳでは、文献検索表示プログラムＡＰ１により検索された技術文献の内容がディスプレイＨ２に表示される。したがって、ユーザが表示された技術内容を参照しながら技術文献を抽出することが容易にできる。また、技術内容を参照しながら抽出することができるので、ユーザが探している技術内容を探しやすくなり、検索の精度をより高めることができる。
さらに、実施例１の技術文献情報表示システムＳでは、検索用の文献データや、Ｆターム一覧表のデータは、インターネット１を通じて取得することができ、クライアントパソコンＰＣに記憶しておく必要がないので、クライアントパソコンＰＣの記憶容量が大きくなりすぎることを防止できる。
【産業上の利用可能性】
【００８４】
（変更例）
以上、本発明の実施例を詳述したが、本発明は、前記実施例に限定されるものではなく、特許請求の範囲に記載された本発明の要旨の範囲内で、種々の変更を行うことが可能である。本発明の変更例（Ｈ01）〜（Ｈ08）を下記に例示する。
（Ｈ01）前記実施例において、文献検索表示プログラムＡＰ１と頻度解析表示プログラムＡＰ２は、別個のプログラムにより構成したが、これらを１つのプログラムにより構成することも可能である。
【００８５】
（Ｈ02）前記実施例において、文献検索サーバＤＢＳ１とＦターム一覧表データ提供サーバＤＢＳ２とをインターネット１を介してクライアントパソコンＰＣに接続したが、これに限定されず、専用線やローカルエリアネットワーク（ＬＡＮ）等の回線により接続することも可能である。また、前記文献検索サーバＤＢＳ１やＦターム一覧表データ提供サーバＤＢＳ２の機能（各制御手段）をクライアントパソコンＰＣに持たせ、通信不要の構成とすることも可能である。
（Ｈ03）前記実施例において、Ｆタームリスト画像５１を作成した後、頻度情報付与一覧画像６１を作成したが、Ｆタームリスト画像５１は省略可能である。
（Ｈ04）前記実施例において、抽出データ入力欄３２とＦターム直接入力欄３３とを設けたが、これら２つのうちいずれか一方を省略したり、その他にも技術分類情報を含む技術文献の情報を抽出するための入力欄を設けることも可能である。
【００８６】
（Ｈ05）前記実施例において、全抽出Ｆターム表示欄３６、頻度表示欄３７およびテーマコード別頻度表示欄３８の３つの表示欄を設けたが、これらに限定されず、いずれかを省略したり、他の表示欄を設けることも可能である。
（Ｈ06）前記実施例において、技術文献の検索を行った場合に、検索条件に該当する技術文献の数を表示した後、技術内容を表示するように構成したが、これに限定されず、技術文献の数を表示せずに技術内容を表示するように構成することも可能である。
（Ｈ07）前記実施例において、技術文献の情報の抽出はコピーアンドペーストやドラッグアンドドロップ等により実行したが、これに限定されず、例えば、頻度解析表示プログラムＡＰ２を他のアプリケーションプログラムから抽出データ入力欄３２に技術文献のデータの外部出力できるように構成することにより抽出を行うことも可能である。
（Ｈ08）前記実施例において、技術文献としての特許文献について説明をしたが、これに限定されず、技術分類情報により技術内容が分類されている技術文献のデータベースに対して、本発明を適用可能である。
【図面の簡単な説明】
【００８７】
【図１】図１は、本発明の技術文献情報表示システムの実施例１の説明図である。
【図２】図２は前記図１に示す技術文献情報表示システムを構成する各装置の機能をブロック図（機能ブロック図）で示した図である。
【図３】図３は検索条件入力画像の説明図であり、図３Ａは検索条件が未入力の状態の検索条件入力画像の説明図、図３Ｂは検索条件が入力された状態の検索条件入力画像の説明図である。
【図４】図４は実施例１の検索条件該当文献数表示画像の説明図であり、キーワードとして「Ｆターム」と「検索」を両方とも含み且つＩＰＣ（国際特許分類）がＧ０６Ｆに分類されている技術文献の検索を実行し、５１件の技術文献が検索された場合の検索条件該当文献数表示画像の説明図である。
【図５】図５は技術内容表示画像の説明図であり、文献番号１，３，５の部分の要部拡大説明図である。
【図６】図６は図５においてユーザが文献番号４，５の部分の技術内容を選択して反転表示された場合の技術内容表示画像の説明図である。
【図７】図７は実施例１の頻度解析用画像の説明図である。
【図８】図８は、前記図７の頻度解析用画像において、抽出データ入力欄にデータが入力された状態の説明図である。
【図９】図９は、前記図８に示す状態から抽出開始キー３９の入力がされ、頻度抽出結果が表示された状態の説明図である
【図１０】図１０は、図９に示す状態においてテーマコード別頻度表示欄の特定のＦタームが選択された状態の説明図である。
【図１１】図１１はＦタームリスト画像の説明図である。
【図１２】図１２は前記図１１のＦタームリスト画像から作成された頻度情報付与一覧表の説明図である。
【図１３】図１３は、前記図１２の頻度情報付与一覧表の続きの説明図である。
【図１４】図１４は、前記図１２，図１３の頻度情報付与一覧表の続きの説明図である。
【図１５】図１５は実施例１の技術文献情報表示システムの文献検索サーバの文献検索送信処理のフローチャートである。
【図１６】図１６は実施例１の技術文献情報表示システムのＦターム一覧表データ提供サーバのＦターム一覧表提供処理のフローチャートである。
【図１７】図１７は実施例１の技術文献情報表示システムのクライアントパソコンＰＣの文献検索表示処理のフローチャートである。
【図１８】図１８は実施例１の技術文献情報表示システムのクライアントパソコンＰＣの頻度解析表示処理のメインフローチャートである。
【図１９】図１９は頻度情報付与一覧画像作成表示処理のフローチャートであり、図１８のＳＴ６４のサブルーチンの説明図である。
【符号の説明】
【００８８】
６１…頻度情報付与一覧表、
Ｃ１８…検索結果表示手段、
Ｃ２２…文献抽出判別手段、
Ｃ２２Ａ…抽出技術文献情報記憶手段、
Ｃ２５…頻度抽出手段、
Ｃ２８Ｄ…頻度情報付与一覧表作成手段、
Ｃ１０１…技術文献情報記憶手段、
Ｃ１０３…技術文献検索手段、
Ｃ２０１…技術分類一覧表記憶手段、
Ｈ２…情報表示画面、
ＳＴ３３…検索結果表示工程、
ＳＴ５２…文献抽出判別工程、
ＳＴ５３…抽出技術文献情報記憶工程、
ＳＴ５７…頻度抽出工程、
ＳＴ６４…頻度情報付与一覧表作成工程。
【図１】
2006195808.tif 000003
【図２】
2006195808.tif 000004
【図３】
2006195808.tif 000005
【図４】
2006195808.tif 000006
【図５】
2006195808.tif 000007
【図６】
2006195808.tif 000008
【図７】
2006195808.tif 000009
【図８】
2006195808.tif 000010
【図９】
2006195808.tif 000011
【図１０】
2006195808.tif 000012
【図１１】
2006195808.tif 000013
【図１２】
2006195808.tif 000014
【図１３】
2006195808.tif 000015
【図１４】
2006195808.tif 000016
【図１５】
2006195808.tif 000017
【図１６】
2006195808.tif 000018
【図１７】
2006195808.tif 000019
【図１８】
2006195808.tif 000020
【図１９】
2006195808.tif 000021